(57)【要約】【課題】異なる２種類の水の供給方式を有する加湿装置において、貯水部への水の補給がいずれの供給方式によって行われたかを判別することのできる加湿装置を提供する。【解決手段】加湿装置１００は、貯水部１０と、加湿フィルタ１と、検出部２と、判定部５０とを備える。貯水部１０は、水を貯水する。加湿フィルタ１は、貯水部１０に貯水されている水を吸収する。検出部２は、貯水部１０内の水位が上昇したことを検出する。判定部５０は、検出部２の検出結果に基づいて、貯水部１０への水の供給方式を判定する。【選択図】図１
2022001803.tif 000002
【特許請求の範囲】
【請求項１】
水を貯水する貯水部と、
前記貯水部に貯水されている前記水を吸収する加湿フィルタと、
前記貯水部内の水位が上昇したことを検出する検出部と、
前記検出部の検出結果に基づいて、前記貯水部への前記水の供給方式を判定する判定部と
を備える、加湿装置。
【請求項２】
前記判定部は、
前記検出部の検出結果に基づいて、前記水位の上昇率を取得し、
前記水位の上昇率に基づいて、前記水の供給方式を判定する、請求項１に記載の加湿装置。
【請求項３】
第１消耗品を更に備え、
前記水の供給方式は、前記第１消耗品に関連付けられる第１供給方式を含み、
前記判定部は、前記水の供給方式が前記第１供給方式であると判定した場合に、前記第１消耗品の使用回数に対応する値をカウントし、前記値が所定値に達したか否かを判定する、請求項１又は請求項２に記載の加湿装置。
【請求項４】
前記第１消耗品とは異なる第２消耗品を更に備え、
前記判定部は、前記判定処理を実行した場合に、前記第２消耗品の使用回数に対応する値をカウントし、前記値が所定値に達したか否かを判定する、請求項３に記載の加湿装置。
【請求項５】
前記貯水部を収容する筐体を更に備え、
前記筐体は、前記貯水部まで水を流通させる流路を有し、
前記第１供給方式は、前記流路を経由して前記貯水部に前記水を供給する方式であり、
前記第１消耗品は、前記流路に配置される、請求項３又は請求項４に記載の加湿装置。
【請求項６】
前記筐体は、前記流路に連通する給水口を上部に有する、請求項５に記載の加湿装置。
【請求項７】
前記貯水部を収容する筐体を更に備え、
前記貯水部は、前記筐体に対して着脱自在な容器を有し、
前記水の供給方式は、前記第１供給方式と異なる第２供給方式を含み、
前記第２供給方式は、前記筐体から取り出された前記容器に前記水を供給する方式であり、
前記第２消耗品は、前記容器内に配置される、請求項４に記載の加湿装置。
【請求項８】
前記第１消耗品は、ろ過材を含むろ過部材である、請求項３から請求項７のいずれか１項に記載の加湿装置。
【請求項９】
前記第２消耗品は、抗菌剤を含む抗菌部材である、請求項４又は請求項７に記載の加湿装置。
【発明の詳細な説明】
【技術分野】
【０００１】
本発明は、加湿装置に関する。
【背景技術】
【０００２】
加湿装置は、筐体と、水を蓄える容器（貯水部）と、加湿フィルタと、送風ファンとを備える。加湿装置は、容器内の水を吸い上げた加湿フィルタに送風ファンで風を送り、風により蒸発した水分を気流に乗せて筐体外に排出して、室内を加湿する。
【０００３】
加湿用の水を貯留する容器は、筐体内の収容部に着脱可能に収容される。容器への水の注水方式は、２通りある。
【０００４】
１つは、容器（貯水部）を筐体から取り出し、水道の蛇口等のある場所で、所定の満水位置まで水を注水した後、容器を筐体内の収容部に戻す方式である。
【０００５】
もう１つは、水差し等を用いて、筐体の上面に設けられた給水口から、筐体下部に収納された容器に連通する注水流路を通じて、水を注入する方式である（特許文献１を参照）。
【先行技術文献】
【特許文献】
【０００６】
【特許文献１】特開２０１５−７５２８５号公報
【発明の概要】
【発明が解決しようとする課題】
【０００７】
ところで、貯水部への供給方式が複数ある加湿装置では、どの供給方式を用いるかによって、例えば、製品内部の汚れる箇所（メンテナンス箇所）、製品内部の汚れ度（メンテナンス時期）が異なる。また、抗菌カートリッジやろ過カートリッジ等の消耗品を備える加湿装置では、各消耗品の消耗度（交換時期）が異なる。
【０００８】
しかしながら、加湿装置自体が、どの供給方式で貯水部に水が供給されたかを把握できなかったため、ユーザーが用いた供給方式に基づいて、製品内部の汚れ度や消耗品の消耗度を、正確に判定することができなかった。
【０００９】
本発明は、異なる２種類の水の供給方式を有する加湿装置において、貯水部への水の補給がいずれの供給方式によって行われたかを判別することのできる加湿装置を提供することを目的とする。
【課題を解決するための手段】
【００１０】
本発明の加湿装置は、貯水部と、加湿フィルタと、検出部と、判定部とを備える。前記貯水部は、水を貯水する。前記加湿フィルタは、前記貯水部に貯水されている前記水を吸収する。前記検出部は、前記貯水部内の水位が上昇したことを検出する。前記判定部は、前記検出部の検出結果に基づいて、前記貯水部への前記水の供給方式を判定する。
【発明の効果】
【００１１】
本発明によれば、２種類の水の供給方式を有する加湿装置であっても、貯水部への水の補給がいずれの供給方式によって行われたかを判別することができる。
【図面の簡単な説明】
【００１２】
【図１】本発明の実施形態の加湿装置の断面図である。
【図２】図１の部分拡大図である。
【図３】筐体から引き出した貯水トレイに水を補給する状態を示す図である。
【図４】実施形態の加湿装置のブロック図である。
【図５】判定処理のフローチャートである。
【図６】貯水トレイ内の水位の変化の一例を示すグラフである。
【図７】貯水トレイ内の水位の変化の他の例を示すグラフである。
【発明を実施するための形態】
【００１３】
以下、本発明の実施形態について、図面を参照しながら説明する。なお、図中、同一又は相当部分については同一の参照符号を付して説明を繰り返さない。また、加湿装置は床面（水平面）に載置して使用されることを考慮して、床面に沿った方向を「水平方向」、床面に直交する鉛直方向を「上下方向」と記載する場合がある。
【００１４】
図１は、実施形態の加湿装置１００の断面図である。図２は、図１の部分拡大図である。図３は、筐体１０１から引き出した貯水トレイ１０Ａに水を補給する状態を示す図である。なお、図１〜図３中の矢印Ｗは、水の流れ方向を示し、矢印Ａは、空気の流れ方向を示す。また、矢印ＷＡは、水分を含む空気（Ｗｅｔ  Ａｉｒ）を示す。
【００１５】
図１及び図３に示すように、加湿装置１００は、筐体１０１と、貯水部１０と、送風部２０とを備える。貯水部１０は貯水トレイ１０Ａを含む。貯水トレイ１０Ａは、水を蓄える容器の一例である。
【００１６】
筐体１０１は、給水口１０２と、注水流路３０と、収容部４０とを含む。具体的には、注水流路３０と、収容部４０とは、筐体１０１内に設けられている。また、加湿装置１００は、加湿フィルタ１と、水位センサ２と、ろ過カートリッジ３と、抗菌カートリッジ４とを備える。
【００１７】
加湿装置１００は、貯水トレイ１０Ａに対する水の供給方式を２通り有する。２通りのうちの１つ目の方式は、図１に示すように、注水流路３０を通じて、給水口１０２から、貯水トレイ１０Ａに水を注入する方式である。注水流路３０を経由して注入する方式を「第１供給方式」と記載する場合がある。
【００１８】
なお、給水口１０２は、筐体１０１の上面１０１ａに設けられる。注水流路３０は上下方向に延びる。注水流路３０は、給水口１０２と貯水トレイ１０Ａとの間を連通させる。
【００１９】
２通りのうちの２つ目の方式は、図３に示すように、貯水トレイ１０Ａを筐体１０１から取り出し、例えば水道の蛇口２０１等のある場所で水を貯水トレイ１０Ａ内に注水した後、貯水トレイ１０Ａを筐体１０１に戻す方式である。筐体１０１から取り出した貯水トレイ１０Ａに注水する方式を「第２供給方式」と記載する場合がある。
【００２０】
加湿装置１００は、貯水トレイ１０Ａへ水の供給が行われた場合に、その水の供給が、第１供給方式（注水流路３０経由）で行われたか、第２供給方式（貯水トレイ１０Ａへの直接注水）で行われたかを判定する「判定処理」を実行する。
【００２１】
筐体１０１は、図１に示すように、上部に送風部２０を、下部に貯水トレイ１０Ａを収容する。貯水トレイ１０Ａは、収容部４０に収容されている。
【００２２】
筐体１０１は、上面１０１ａに、給水口１０２と、吹出口１０３とを有する。上面１０１ａと貯水トレイ１０Ａとの間には、水の流路として注水流路３０が設けられている。
【００２３】
注水流路３０は、給水口１０２と貯水トレイ１０Ａとの間に設けられる。給水口１０２は、上面１０１ａに開口する凹状である。給水口１０２の底部には、水を下側に流下させるための穴又は隙間が設けられている。給水口１０２は、注水流路３０に連通する。
【００２４】
注水流路３０は、上から下に連通するパイプ状又はダクト状の水流路である。注水流路３０は、注水流路３０Ａ、３０Ｂ、３０Ｃを含む。注水流路３０Ａは、注水流路３０Ｂの上側に配置され、給水口１０２に連通する。注水流路３０Ｂは、注水流路３０の中間部分である。注水流路３０Ｃは、注水流路３０Ｂの下側に配置される。注水流路３０Ｃは、貯水トレイ１０Ａの中に配置される。図中の矢印Ｗは、給水口１０２から注がれた水の流れを示す。
【００２５】
なお、注水流路３０Ｃを設けず、注水流路３０Ｂの下端から、水が貯水トレイ１０Ａの貯水部分に直接落下する構成としてもよい。
【００２６】
注水流路３０の途中の経路上には、ろ過カートリッジ３が配置される。図２に示すように、ろ過カートリッジ３は、ケース３ａと、ろ過材３ｄとを有する。ケース３ａの上面（ケース上面３ｂ）はろ過カートリッジ３の上面を構成する。ケース３ａの下面（ケース下面３ｃ）はろ過カートリッジ３の上面を構成する。ケース上面３ｂとケース下面３ｃとには、図２に示すように、複数の穴が設けられている。すなわち、ケース上面３ｂ及びケース下面３ｃは、通水可能な網状である。
【００２７】
ケース３ａの内部には、ろ過材３ｄが充填される。ろ過材３ｄには、例えば、ミネラルを吸着するろ過剤やイオン交換樹脂が用いられる。ろ過カートリッジ３は、本発明の第１消耗品の一例である。
【００２８】
ケース上面３ｂからケース３ａの内部に流入した水（矢印Ｗ）は、ろ過材３ｄを通って浄化された後、ケース下面３ｃから注水流路３０Ｂに排出される。そして、注水流路３０Ｂ、注水流路３０Ｃを流下して貯水トレイ１０Ａに流入し、貯水トレイ１０Ａの貯留部に貯留される（図１参照）。
【００２９】
貯水部１０（貯水トレイ１０Ａ）は、図１に示すように、複数のガイド板１１と、ハンドル１２とを備える。また、貯水トレイ１０Ａの底部には、抗菌カートリッジ４が配置されている。
【００３０】
貯水トレイ１０Ａの一部は、注水流路３０Ｃを形成する。また、貯水トレイ１０Ａの側壁は、給水口１０２からの注水する時にも内部の水位が側方から確認できるよう、光を透過する半透明の樹脂で形成されている。
【００３１】
図１は、水が貯水トレイ１０Ａの満水位置Ｈまで貯留されている時を示す。なお、水面が貯留されている水の水面が渇水位置Ｌ（点線）まで低下した時点で、貯水トレイ１０Ａに水を補給する必要が生じる。
【００３２】
複数のガイド板１１は、貯水トレイ１０Ａ内において加湿フィルタ１を位置決めする。加湿フィルタ１は、複数のガイド板１１の間に挿入されている。なお、複数のガイド板１１は、貯水トレイ１０Ａの側壁の近傍にのみ配置されている。従って、加湿フィルタ１とガイド板１１とが重なる面積は小さく、加湿フィルタ１には、側方から充分な水が供給されるようになっている。
【００３３】
加湿フィルタ１は、吸水性の高い材料で構成される。加湿フィルタ１は、例えば吸水性の繊維からなる不織布で形成されている。加湿フィルタ１は、貯水トレイ１０Ａに貯留された水を、矢印Ｗに示すように、水面より上にまで吸い上げ、蒸発させる。
【００３４】
ハンドル１２は、貯水トレイ１０Ａの上部に、回動可能に取り付けられている。ハンドル１２は、貯水トレイ１０Ａを筐体１０１から取り出した後、貯水トレイ１０Ａを持ち上げて搬送するために利用される。
【００３５】
抗菌カートリッジ４は、貯水トレイ１０Ａの底部に、着脱可能に固定される。抗菌カートリッジ４は、例えば銀イオン（Ａｇ+）を水中に溶出可能な抗菌剤を含む。抗菌カートリッジ４は、本発明の第２消耗品の一例である。
【００３６】
送風部２０は、送風ファン２１と、ファンケース２２と、ファンモータ２３（図４参照）とを備える。
【００３７】
送風ファン２１は、例えばシロッコファンである。送風ファン２１は、ファンモータ２３（図４参照）により駆動されて、筐体１０１の側面に設けられた吸気口（図示省略）から、筐体１０１外の空気を送風ファン２１の内径側に吸い込む。
【００３８】
送風ファン２１の内径に吸い込まれた空気は、送風ファン２１の回転により、送風ファン２１の外径側に送り出される。ファンケース２２の下面は開口しており、空気は、気流（風）となって、ファンケース２２下面の開口から貯水トレイ１０Ａ内に入る。
【００３９】
貯水トレイ１０Ａ内に流入した気流は、矢印Ａに示すように、加湿フィルタ１を通り抜ける。この時、加湿フィルタ１は、貯水トレイ１０Ａの貯留部分から吸い上げた水を含んでいる。そのため、気流は、加湿フィルタ１を通り抜ける際、加湿フィルタ１が含む水を蒸発させる。この結果、矢印ＷＡに示すように、水分（湿気）を含んだ湿潤空気が発生する。
【００４０】
水分（湿気）を含んだ湿潤空気は、吹出口１０３から排出され、加湿装置１００の周囲の空気を加湿する。
【００４１】
図１及び図４を参照して、判定処理を実行する構成を説明する。図４は、加湿装置１００のブロック図である。
【００４２】
図４に示すように、加湿装置１００は、水位センサ２と、表示パネル１０４と、ファンモータ２３とを備える。更に、加湿装置１００は、制御部５０と、記憶部５１とを備える。
【００４３】
図１に示すように、水位センサ２は、貯水トレイ１０Ａ内の水の上面（水面）の高さを示す水位を測定する。水位センサ２は、収容部４０に収容された貯水トレイ１０Ａ内の水面が臨める位置に配置される。具体的には、収容部４０より上側の筐体１０１内において、筐体１０１から脱着される貯水トレイ１０Ａの引き出し操作の邪魔にならない位置に配置される。
【００４４】
水位センサ２には、例えば、光学式（レーザー方式）の距離センサが用いられる。水位センサ２は、貯水トレイ１０Ａ内の水位を、常時測定する。水位センサ２は、測定した水位のデータを制御部５０に送信する。
【００４５】
図１に示すように、表示パネル１０４は、筐体１０１の上面に配置される。表示パネル１０４は、例えば液晶表示パネルである。表示パネル１０４は、制御部５０の制御により、加湿装置１００に関する情報をユーザーに通知する。表示パネル１０４は、エラーメッセージを表示する。
【００４６】
ファンモータ２３は、送風ファン２１を駆動する。ファンモータ２３は、制御部５０により制御される。制御部５０は、ファンモータ２３の回転を制御して、加湿フィルタ１を通過する空気（風）の量を制御する。
【００４７】
記憶部５１は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）のような主記憶装置を含む。記憶部５１は、ＨＤＤ（Ｈａｒｄ  Ｄｉｓｋ  Ｄｒｉｖｅ）のような補助記憶装置を含んでいてもよい。記憶部５１は、種々のコンピュータープログラムと、種々のデータとを記憶する。また、記憶部５１は、水位センサ２が取得した貯水トレイ１０Ａ内の水位（水面高さ）を、時系列に記憶する。
【００４８】
制御部５０は、ＣＰＵ（Ｃｅｎｔｒａｌ  Ｐｒｏｃｅｓｓｉｎｇ  Ｕｎｉｔ）のようなプロセッサーを含む。制御部５０は、記憶部５１に記憶されたコンピュータープログラムを実行することにより、加湿装置１００の各要素を制御する。
【００４９】
制御部５０は、貯水トレイ１０Ａ内に貯留された水の水位を、水位センサ２から常時取得する。その結果、制御部５０は、貯水トレイ１０Ａ内の水位が上昇したことを検出することができる。水位センサ２は、本発明の検知部の一例である。
【００５０】
制御部５０は、水位センサ２の検出結果（測定データ）に基づいて、貯水トレイ１０Ａ内の水量（残水量）を計算する。そして、計算された水量を、表示パネル１０４に表示する。制御部５０は、貯水トレイ１０Ａ内の水位を表示パネル１０４に表示してもよい。
【００５１】
また、制御部５０は、水位センサ２から得られる水位データに基づいて、貯水トレイ１０Ａへの水の供給方式が、第１供給方式であるか、又は、第２供給方式であるかを判定する。制御部５０は、本発明の「判定部」の一例である。
【００５２】
制御部５０は、消耗品の使用回数に対応する値、又は、消耗品への給水回数に対応する値（カウントアップする数）が、予め定められた所定値に達したか否かを判定してもよい。
【００５３】
更に、制御部５０は、ろ過カートリッジ３（第１消耗品）及び抗菌カートリッジ４（第２消耗品）に、水の供給（補給）回数に基づく使用限度（寿命：カウントダウンする値の初期値）が設定されている場合、判定処理を実行する度に、これら消耗品が寿命を迎えた否かを確認する寿命判定を行ってもよい。
【００５４】
図５を参照して、制御部５０（判定部）が行う判定処理について説明する。図５は、制御部５０による判定処理のフローチャートである。
【００５５】
先にも述べたように、制御部５０は、表示パネル１０４に貯水トレイ１０Ａ内の水量を表示するため、常時、水位センサ２から水位の測定データを取得している。
【００５６】
水位データの取得を開始（スタート）して、ステップＳ１において水位が上昇し始めたことを検知（ステップＳ１の判定がＹＥＳ）すると、制御部５０（判定部）は判定処理を開始する。
【００５７】
詳しくは、ステップＳ１において、今回（現時点）の水位データＬ０と前回の水位データＬ１とを比較して、今回の水位データＬ０が前回の水位データＬ１を上回る条件（Ｌ０＞Ｌ１）を満たしていれば、「水位が上昇した」と判定する。
【００５８】
ステップＳ１において、水位上昇の条件を満たさない（Ｌ０≦Ｌ１）場合、すなわち判定がＮＯの場合は、水位の上昇が確認できるまでループを繰り返して待機する。
【００５９】
水位の上昇開始が確認されると、制御部５０は、ステップＳ２で水位の変化率（上昇率）が所定のしきい値Ｘを上回るか否かを判定する。
【００６０】
詳しくは、制御部５０は、水位の上昇率として、今回の水位データＬ０とｔ秒前の水位データＬｔとの差分の上昇率［（Ｌ０−Ｌｔ）／ｔ］を求める。実施形態において、ｔ秒は、例えば１０秒である。また、変化量（Ｌ０−Ｌｔ）の基準としては、例えば５ｃｍが用いられる。従って、実施形態において、しきい値Ｘは、具体的には０．５ｃｍ／秒である。
【００６１】
水位の上昇率［（Ｌ０−Ｌｔ）／ｔ］がしきい値Ｘを上回る（ステップＳ２の判定がＹＥＳ）場合、制御部５０は、貯水トレイ１０Ａへの水の供給方式として、図３に示すような、筐体１０１から取り出した貯水トレイ１０Ａに蛇口２０１等から直接注水する供給方式（第２供給方式）がとられたと判定する。
【００６２】
図７は、第２供給方式よって貯水トレイ１０Ａに水が注水された場合に水位センサ２が測定する水位の変化の一例を示すグラフである。
【００６３】
図７において、貯水トレイ１０Ａ内の水位（ｃｍ）の変化は、区間「２−Ａ」、区間「２−Ｂ」、区間「２−Ｃ」の３つの区間と、区間「２−Ａ」と区間「２−Ｂ」の間の非検知区間及び区間「２−Ｂ」と区間「２−Ｃ」の非検知区間に区分される。
【００６４】
最初の区間「２−Ａ」（経過時間が０秒〜約１１秒）は、加湿装置１００の稼働により、貯水トレイ１０Ａ内の水位が、渇水位置（Ｌレベル、約２ｃｍ）まで低下した状態を示す。区間「２−Ａ」は、制御部５０がユーザーによる注水開始を待機している区間である。
【００６５】
経過時間が１２秒付近の水位のピーク（約１１．５ｃｍ）は、ユーザーが貯水トレイ１０Ａを筐体１０１から引き出す作業の際、水位センサ２が、背の高い加湿フィルタ１の上面の通過を検出したものである。なお、制御部５０は、１１ｃｍ以上の値を異常値とみなしてカウントしない。
【００６６】
区間「２−Ｂ」（経過時間が約１３秒〜約７３秒）は、外部での給水のために貯水トレイ１０Ａが収容部４０から取り出された状態を示す。水位は、収容部４０の底面の高さを示す０ｃｍ付近の値をとる。
【００６７】
経過時間が約７３秒〜約７７秒の間も、非検知区間である。１２秒付近の水位のピークと同様、外部での給水が完了した貯水トレイ１０Ａを収容部４０内に戻す際、水位センサ２の真下を、加湿フィルタ１の上面が通過するのを検出したものである。これらの高い値も、異常値とみなしてカウントされない。
【００６８】
区間「２−Ｃ」（経過時間が約７８秒以降）は、外部で満水位置（Ｈレベル、約１０ｃｍ）まで給水された貯水トレイ１０Ａが、筐体１０１内の所定位置に戻された状態を示す。
【００６９】
図７のグラフにおいて、外部で注水の完了した貯水トレイ１０Ａを収容部４０に戻す操作を行う区間２−Ｂ（経過時間７０秒）と区間２−Ｃ（経過時間８０秒）との間の水位の上昇に着目すると、貯水トレイ１０Ａが収容部４０内に無い状態を示す経過時間７０秒付近の水位「０．５ｃｍ」と、貯水トレイ１０Ａが収容部４０内に有る状態を示す経過時間８０秒付近の水位「１０ｃｍ」との間には、１０秒（ｔ秒）間の間に、９．５ｃｍもの水位の上昇（Ｌ０−Ｌｔ）があることが分かる。
【００７０】
すなわち、図７の区間「２−Ｂ」と区間「２−Ｃ」との間において、判定処理のステップＳ２で計算する水位の上昇率［（Ｌ０−Ｌｔ）／ｔ］は、基準とするしきい値Ｘ（０．５ｃｍ／秒）を上回る「０．９５ｃｍ／秒」に達する。
【００７１】
その結果、制御部５０は、水位の上昇率に基づいて、貯水トレイ１０Ａに対して行われた水の供給が、蛇口２０１等から貯水トレイ１０Ａに直接注水する供給方式（第２供給方式）であったと判定する。
【００７２】
一方、ステップＳ２において、水位の上昇率［（Ｌ０−Ｌｔ）／ｔ］が、しきい値Ｘ（０．５ｃｍ／秒）を下回るゆっくりしたものである場合（ステップＳ２の判定がＮＯ）、制御部５０は、貯水トレイ１０Ａへの水の供給方式として、図１に示すような、給水口１０２から注水流路３０を経由して貯水トレイ１０Ａに注水される給水方式（第１供給方式）がとられたと判定する。
【００７３】
図６は、第１供給方式よって貯水トレイ１０Ａに水が注水された場合に水位センサ２が測定する水位の変化の一例を示すグラフである。
【００７４】
図６において、貯水トレイ１０Ａ内の水位（ｃｍ）の上昇は、区間「１−Ａ」、区間「１−Ｂ」、区間「１−Ｃ」の３つの区間に区分される。
【００７５】
区間「１−Ａ」（経過時間が０秒〜約２０秒）は、加湿装置１００の稼働により、貯水トレイ１０Ａ内の水位が、渇水位置（Ｌレベル、約２ｃｍ）まで低下した状態を示す。区間「１−Ａ」は、制御部５０がユーザーによる注水を待機している区間である。
【００７６】
区間「１−Ｂ」（経過時間が約２０秒〜約８０秒）は、給水口１０２から注水流路３０を経由した貯水トレイ１０Ａへの注水が、継続して行われている状態を示す。水位は、渇水位置（Ｌレベル、約２ｃｍ）から満水位置（Ｈレベル、約１０ｃｍ）まで、時間をかけて上昇する。
【００７７】
区間「１−Ｃ」（経過時間が約８０秒以降）は、給水口１０２から注水された水が全量貯水トレイ１０に到達し、水位が安定した状態を示す。
【００７８】
図６のグラフにおいて、注水流路３０を通じた注水が行われている区間「１−Ｂ」の水位の上昇に着目すると、水位の８ｃｍの上昇に６０秒程度を要している。すなわち、水位の上昇率［（Ｌ０−Ｌｔ）／ｔ］は、基準とするしきい値Ｘ（０．５ｃｍ／秒）を下回る「０．１３ｃｍ／秒」である。
【００７９】
これにより、制御部５０は、水位の上昇率に基づいて、貯水トレイ１０Ａに対して行われた水の供給が、注水流路３０を経由して行われる供給方式（第１供給方式）であったと判定する。
【００８０】
以上のようにして、制御部５０（判定部）は、貯水トレイ１０Ａへ水の注水が行われた場合に、その水の供給が、第１供給方式（注水流路３０経由）で行われたか、第２供給方式（貯水トレイ１０Ａへの直接注水）で行われたかを判定することができる。
【００８１】
次に、制御部５０は、判定処理の結果に基づいて、各消耗品の寿命を判定する処理を行う。
【００８２】
まず、貯水トレイ１０Ａへ水の補給が第１供給方式で行われたと判定した場合（ステップＳ３）、制御部５０は、ステップＳ４において、第１消耗品（ろ過カートリッジ３）の寿命カウンタＡを、給水１回分減算する。寿命カウンタＡのカウント値（カウントダウン値）は、本発明における消耗品の使用回数に対応する値の一例である。なお、制御部５０は、第１消耗品（ろ過カートリッジ３）への供給回数をカウント（カウントアップ）し、設定寿命の値から減算するようにしてもよい。
【００８３】
ついで、実施形態のように、第２消耗品（抗菌カートリッジ４）が貯水トレイ１０Ａ内に配置されている場合は、ステップＳ５において、第２消耗品の寿命カウンタＢも、給水１回分減算する。これは、第１供給方式が用いられた場合でも、補給された水は、最終的に貯水トレイ１０Ａに貯水されることを考慮した処理である。
【００８４】
次いで、制御部５０は、ステップＳ６において、ろ過カートリッジ３が寿命を迎えていないか否かを確認する。具体的には、第１消耗品の寿命カウンタＡが０又は０以下のマイナス値になっていないか否かを判定する。
【００８５】
ステップＳ６の判定において、第１消耗品の寿命カウンタＡが０に至っていない（ステップＳ６の判定がＮＯ）場合、処理は、ステップ１３に進む。
【００８６】
ステップＳ６の判定において、第１消耗品の寿命カウンタＡが０又はマイナス値に至っている（ステップＳ６の判定がＹＥＳ）場合、制御部５０は、ステップＳ７において、ろ過カートリッジ３が寿命を迎えている旨のメッセージを通知する。その後処理は、ステップ１３に進む。なお、メッセージの通知は、表示パネル１０４を通じて行われる。加湿装置１００が発音装置又は発声装置を備える場合は、メッセージを音声発話によって通知をしてもよい。また、通信装置を備える場合は、メッセージがユーザーの有するスマートフォン等に到達するようにしてもよい。
【００８７】
他方、ステップＳ２において、貯水トレイ１０Ａへ水の補給が第２供給方式で行われたと判定された場合（ステップＳ１１）、制御部５０は、ステップＳ１２において、貯水トレイ１０Ａ内に配置された第２消耗品（抗菌カートリッジ４）の寿命カウンタＢを給水１回分減算する。
【００８８】
寿命カウンタＢのカウント値（カウントダウン値）は、本発明における消耗品の使用回数に対応する値の一例である。なお、制御部５０は、第２消耗品（抗菌カートリッジ４）への供給回数をカウント（カウントアップ）し、設定寿命の値から減算するようにしてもよい。
【００８９】
次いで、制御部５０は、ステップＳ１３において、抗菌カートリッジ４が寿命を迎えていないか否かを確認する。詳細には、第２消耗品の寿命カウンタＢが、０又は０以下のマイナス値になっていないか否かを判定する。
【００９０】
ステップＳ１３の判定において、抗菌カートリッジ４の寿命カウンタＢが０に至っていない（ステップＳ１３の判定がＮＯ）場合、制御部５０は、処理をステップＳ１に戻す。
【００９１】
ステップＳ１３の判定において、抗菌カートリッジ４の寿命カウンタＢが０又はマイナス値に至っている（ステップＳ１３の判定がＹＥＳ）場合、制御部５０は、ステップＳ１４において、抗菌カートリッジ４が寿命を迎えている旨のメッセージを通知して、処理を終了する（エンド）。なお、加湿装置１００が発音装置又は発声装置を備える場合は、メッセージを音声発話によって通知をしてもよい。更に、通信装置を備える場合は、メッセージがユーザーの有するスマートフォン等に到達するようにしてもよい。
【００９２】
以上のようにして、実施形態の加湿装置１００は、異なる２種類の水の供給方式（第１供給方式及び第２供給方式）を有していても、貯水トレイ１０Ａへの水の補給が、いずれの供給方式によって行われたかを、判別することができる。
【００９３】
また、異なる２種類の水の供給方式のそれぞれに関連して配設される２つの消耗品（第１消耗品及び第２消耗品）の寿命を、各々の水の供給方式が使用された頻度に応じて適切に管理することができる。
【００９４】
すなわち、加湿装置１００を使用するユーザーの立場で考えた場合、メンテナンス時期が報知されるタイミングが正確になることから、加湿装置の利便性の向上に貢献する。
【００９５】
更に、ユーザーによる水の供給方式の使用度合いを情報（ビッグデータ）として蓄積し、それを利用することにより、ユーザーの使用形態や好みに寄り添った商品の開発が可能になる。加湿装置１００は、この点においても、ユーザーの利便性の向上に貢献する。
【００９６】
以上、図面を参照しながら本発明の実施形態を説明した。但し、本発明は、上記の実施形態に限られるものではなく、その要旨を逸脱しない範囲で種々の態様において実施することが可能である。例えば、実施形態に示される全構成要素から幾つかの構成要素を削除してもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【００９７】
図１から図４を参照して説明した実施形態では、本発明の検知部として、水位センサ２に光学式（レーザー方式）の距離センサを用いたが、貯水トレイ１０Ａの水位の検出は、他のセンサでも行うことができる。例えば、静電容量方式のセンサや、重量測定方式のセンサを用いてもよい。
【００９８】
また、実施形態では、寿命を管理する対象の消耗品として、ろ過カートリッジ３と、抗菌カートリッジ４とを例示したが、対象とする消耗品は、他の物品でもよい。例えば、定期的に交換が必要な加湿フィルタ１を、管理対象の消耗品としてもよい。また、各カートリッジに充填される抗菌剤やろ過材の種類も、限定されるものではない。
【００９９】
更に、実施形態では、加湿装置１００が「水の供給方式」を判定した後の操作として、消耗品の寿命カウンタを減算（カウントダウン）すること、及び、消耗品が寿命を迎えた場合はユーザーに通知することのみを例に挙げたが、ユーザーの利便性の向上は、これだけではない。
【０１００】
例えば、加湿装置の水位検知情報を基に、複数のうちのいずれの供給方式であるかを判定し、供給回数をカウントアップするようにしてもよい。また、消耗品の使用回数をカウントアップするようにしてもよい。これら、供給方式ごとの供給回数のカウント及び／又は消耗品の使用回数のカウントは、スマートフォン等から確認できるように設定することができる。
【０１０１】
スマートフォン等から確認できるように設定した場合、例えばスマートフォン上の専用アプリケーションを用いて、消耗品に交換時期が来たことをユーザーに報知させるようにしてもよい。
【０１０２】
また、いずれかの供給方式の供給回数が所定値（設定値）に達したら、メンテナンス時期が来たことを、スマートフォンのアプリから報知させるようにすることもできる。例えば、供給方式のカウント合計値が所定値に達すれば、給水トレイの洗浄時期が来たことを報知するように設定してもよい。
【０１０３】
更に、所定値（設定値）に達した供給方式が、上面パネルの「供給口」を通じた第１供給方式であると判定した場合、例えば供給口の拭き取りを提案するようにしてもよい。
【産業上の利用可能性】
【０１０４】
本発明は、加湿装置の分野に利用可能である。
【符号の説明】
【０１０５】
１  加湿フィルタ
３  ろ過カートリッジ
４  抗菌カートリッジ
１０Ａ  貯水トレイ
２０  送風部
３０  注水流路
５０  制御部
１００  加湿装置
１０１  筐体
１０２  給水口
【図１】
2022001803.tif 000003
【図２】
2022001803.tif 000004
【図３】
2022001803.tif 000005
【図４】
2022001803.tif 000006
【図５】
2022001803.tif 000007
【図６】
2022001803.tif 000008
【図７】
2022001803.tif 000009